(57)【要約】【課題】マウントレールの配置間隔よりも横幅の広いものを設置することができる機器、装置を設置して好適な大型装置対応ラックを提供すること。【解決手段】内部に収納空間を有するフレーム１１ａ、１２、１３と、このフレーム１１ａ、１２、１３内部に係止され機器または棚板を取付可能なマウントレール１８とを備え、マウントレール１８の下方には空間が設けられ、機器等の設置が可能とされることを特徴とする。【選択図】  図１
2004281789.tif 000002
【特許請求の範囲】
【請求項１】
内部に収納空間を有するフレームと、このフレーム内部に係止され機器または棚板を取付可能なマウントレールとを備え、
該マウントレールの下方には空間が設けられ、機器等の設置が可能とされることを特徴とする大型装置対応ラック。
【請求項２】
請求項１記載の大型装置対応ラックにおいて、
前記フレームの間に略横方向へ複数本のサイドレールが設けられ、
前記マウントレールが、前記サイドレールにより支持されていることを特徴とする大型装置対応ラック。
【請求項３】
請求項１または２に記載の大型装置対応ラックにおいて、
前記フレームの間には複数枚の側板および開閉扉が設けられ、
大型装置対応ラック内部を冷却する冷却手段が備えられていることを特徴とする大型装置対応ラック。
【発明の詳細な説明】
【０００１】
【発明の属する技術分野】
本発明は、データセンタ等で用いられるラックの構造に関する。
【０００２】
【従来の技術】
近年のブロードバンドの急速な発展に伴い、情報化社会の基盤としての役割を担うデータセンタ、またはＩＴ（Ｉｎｆｏｒｍａｔｉｏｎ  Ｔｅｃｈｎｏｌｏｇｙ）装置を収納するラックへの関心、需要が高まりつつある。
【０００３】
従来、この種のラックとして図７に示すものが知られている。ラック１００は、図７に示すように、四本の柱１０１、１０１、１０１、１０１と、下端に設けられた架枠１０２と、上端に設けられた天板１０３と、ラック１００の側面および背面に設けられる側板１０４と、前面に設けられる窓付き扉１０５ａ、または窓なし扉１０５ｂと、四本の柱１０１よりも内側で架枠１０２から天板１０３まで設けられたマウントレール１０６、１０６、１０６、１０６と、マウントレール１０６に設けられる棚板１０７と、電気を供給するコンセント１０８と、天板１０３に設けられる換気ファン１０９とを主な構成要素としている。
【０００４】
上記構成からなるラック１００によれば、その内部のマウントレール１０６に支持された棚板１０７の上に、例えば通信機器やＩＴ装置などの機器、装置を設置して、コンセント１０８からこれらの機器、装置の電源を得る。
また、棚板１０７に設置された機器、装置から放出される熱は、天板１０３に設けられた換気ファン１０９により、ラック１００外へ排出される。
【０００５】
また、別の形態としては、４本の支柱と上側面板と下側面板とによって略直方体に形成され、４本の支柱の内側両面に対向して奥行き方向へ延びるサイドレールが取り付けられ、サイドレールに交差して高さ方向に４本のマウントレールが取り付けられ、前面側の２本のマウントレールの上下方向に沿ってマウントアングルが一体に形成されている通信機器キャビネットがある（例えば、特許文献１参照。）。
【０００６】
【特許文献１】
特開２００１−３６２６９号公報  （第２頁、第１図）
【０００７】
【発明が解決しようとする課題】
ところで、上記のラック１００、または通信機器キャビネットにおいては、装置は架枠１０２（下側面板）から天板１０３（上側面板）まで設けられたマウントレール１０６に固定されるか、もしくはマウントレール１０６に固定された棚板１０７に置いていたため、マウントレール１０６のスパンよりも横幅の広い機器、装置を設置することは困難であったという問題があった。
【０００８】
この発明は、このような事情を考慮してなされたもので、その目的は、マウントレールの配置間隔よりも横幅の広いものを設置することができる機器、装置を設置して好適な大型装置対応ラックを提供することにある。
【０００９】
【課題を解決するための手段】
本発明の大型装置対応ラックでは、上記課題を解決するため、以下の手段を採用した。
請求項１にかかる発明は、内部に収納空間を有するフレームと、このフレーム内部に係止され機器または棚板を取付可能なマウントレールとを備え、該マウントレールの下方には空間が設けられ、機器等の設置が可能とされることを特徴とする。
【００１０】
この発明にかかる大型装置対応ラックによれば、上記マウントレール下方には利用可能な空間が設けられているので、マウントレールの設置幅よりも幅の広い機器などをこの空間に設置することができる。
【００１１】
請求項２にかかる発明は、請求項１記載の大型装置対応ラックにおいて、前記フレームの間に略横方向へ複数本のサイドレールが設けられ、前記マウントレールが、前記サイドレールにより支持されていることを特徴とする。
【００１２】
この発明にかかる大型装置対応ラックによれば、上記マウントレールがサイドフレームに支持されているので、マウントレールをより確実にフレームに係止することができ、マウントフレームの下方の空間をより設けやすくなる。
【００１３】
請求項３にかかる発明は、請求項１または２に記載の大型装置対応ラックにおいて、前記フレームの間には複数枚の側板および開閉扉が設けられ、大型装置対応ラック内部を冷却する冷却手段が備えられていることを特徴とする。
【００１４】
この発明にかかる大型装置対応ラックによれば、大型装置対応ラックは複数枚の側板および開閉扉により囲われるとともに、大型装置対応ラック内部を冷却する冷却手段が備えられているので、例えば、大型装置対応ラック内部に配置された機器または装置から排出される熱がこもる状態になっても、熱を冷却手段により大型装置対応ラック外へ排出することができる。
【００１５】
【発明の実施の形態】
以下、本発明の実施の形態について図１から図５を参照しながら説明する。
大型装置対応ラック１０は、図１から図５において、四隅に配置された第一の柱（フレーム）１１ａ、１１ａ、１１ａ、１１ａと、手前側の第一の柱１１ａの間および後方側の第一の柱１１ａの間に二本ずつ配置された第二の柱１１ｂ、１１ｂ、１１ｂ、１１ｂと、下端に設けられた底板（フレーム）１２と、上端に設けられた天板（フレーム）１３と、大型装置対応ラック１０の両側面に設けられた側板１４、１４と、前面および背面に設けられた観音開きの開閉扉１５、１５と、両側板１４間に設けられた仕切り板１６と、仕切り板１６により区切られた正面視において左側空間に、側板１４に略平行で前面の開閉扉１５から後面の開閉扉１５まで設けられた三本の第一サイドレール（サイドレール）１７ａ、１７ａ、１７ａと、同じく側板１４に略平行で前面の開閉扉１５から後面の開閉扉１５まで設けられた第二サイドレール（サイドレール）１７ｂと、第一サイドレール１７ａおよび第二サイドレール１７ｂに支持される四本のマウントレール１８、１８、１８、１８と、仕切り板１６により区切られた正面視において右側空間に設けられた空調機（冷却手段）１９とを主な構成要素としている。
【００１６】
第一の柱１１ａは、図１および図２に示すように、Ｌ字形状に形成されるとともに、Ｌ字の角が大型装置対応ラック１０の四隅の角と一致するように設けられている。
仕切り板１６には、図３に示すように、その下方に空気吹出し孔２１および略中央に空気吸込み孔２２が設けられている。また、仕切り板１６の正面視において左側の面には、大型装置対応ラック１０の上方の空気を空気吸込み孔２２に導く空気誘導板２３がＬ字形状に形成されるとともに、Ｌ字形状の短辺の先端と仕切り板１６とが空気吸込み孔２２よりも下方で結合されている。
第一サイドレール１７ａは、図２および図３に示すように、大小の口の字型フレーム２３ａ、２３ｂを組み合わせて構成され、小さい方の口の字型フレーム２３ａがマウントレール１８側に、大きい方の口の字型フレーム２３ｂが外側になるように配置されている。また、正面視において左側の二組の第一サイドレール１７ａは、第一の柱１１ａに設けられ、正面視において右側の第一サイドレール１７ａは、空気誘導板２４に設けられている。第二サイドレール１７ｂはＬ字フレームからなるとともに、正面視において右側のマウントレール１８と天板１３とをつないでマウントレール１８を支持するように配置されている。
マウントレール１８は、図２から図４に示すように、その長さが大型装置対応ラック１０の高さの略半分であるＬ字フレームからなり、Ｌ字の短い方の面には、複数の四角い孔２５が設けられているとともに、四角い孔２５が設けられた面が前方または後方を向くように配置されている。このマウントレール１８の詳細な形状は、ＥＩＡ（Ｅｌｅｃｔｒｏｎｉｃ  Ｉｎｄｕｓｔｒｉｅｓ  Ａｓｓｏｃｉａｔｉｏｎ；米国電子工業会）の基準に準じて形成されている。
【００１７】
上記の構成からなる大型装置対応ラック１０においては、図１および図２に示すように、マウントレール１８の長さが柱の長さよりも短く、マウントレール１８は天板１３側にオフセットして取り付けられているので、大型装置対応ラックの底板１２側には、マウントレール１８の配置間隔よりも横幅が広い空間が形成される。
この横幅の広い空間には、例えば、ＬＧＷＡＮ（Ｌｏｃａｌ  Ｇｏｖｅｒｎｍｅｎｔ  Ｗｉｄｅ  Ａｒｅａ  Ｎｅｔｗｏｒｋ、地方公共団体向け総合行政ネットワーク）のような装置が配置される。
【００１８】
また大型装置対応ラック１０に配置された機器および装置から大型装置対応ラック１０内に放出される熱は、図３から図４に示すように、周囲の空気を加熱して熱気となり図中の矢印のように上昇する。大型装置対応ラック１０の下部を上昇する時は、底に配置された機器または装置の周りを上昇する。大型装置対応ラック１０の上部のマウントレール１８が配置されている部分では、マウントレールと１８側壁１４との間、サイドレール１７ａと側壁１４との間を通過して大型装置対応ラック１０の上部に溜まる。上部に溜まった熱気は、図３および図５に示すように、仕切り板１６方向へ流れ、仕切り板１６および空気誘導板２３の間の空間を通って、空気吸込み孔２２に流入する。空気吸込み孔２２に流入した熱気は、空調機１９に導かれて大型装置対応ラック１０外部の空気へ熱を放出して、冷気となり空気吹き出し孔２１から再び機器および装置が配置されている空間に送り込まれ大型装置対応ラック１０内を循環する。
【００１９】
上記の構成によれば、マウントレール１８の下方（底板１２側）には利用可能な空間が設けられているので、マウントレール１８の配置間隔よりも横幅の広いもの、例えばＬＧＷＡＮ等の通信機器やＩＴ装置を設置することができるという効果を奏する。
【００２０】
大型装置対応ラック１０は側板１４および開閉扉１５により囲われるとともに、大型装置対応ラック１０内部を冷却する空調機１９が備えられているため、例えばＬＧＷＡＮ等の通信機器やＩＴ装置など熱を発生するものが設置されても、熱を空調機１９により大型装置対応ラック１０外に排出することができ、通信機器やＩＴ装置などの設置に好適であるという効果を奏する。
【００２１】
なお、本発明の技術範囲は上記実施形態に限定されるものではなく、本発明の趣旨を逸脱しない範囲において種々の変更を加えることが可能である。
例えば、上記の実施の形態においては、第一サイドレール１７ａ、第二サイドレール１７ｂが、断面形状が口の字型やＬ字型に形成されたフレームに適応して説明したが、この断面形状が口の字型やＬ字型に形成されたフレームに限られることなく、その他各種の断面形状に形成されたフレームに適応することができるものである。
【００２２】
また、上記の実施の形態においては、第一サイドレール１７ａ、第二サイドレール１７ｂの長さが、前面の開閉扉１５から後面の開閉扉１５まで設けられた構成に適応して説明したが、この各サイドレール１７ａ、１７ｂの長さが前面の開閉扉１５から後面の開閉扉１５まで設けられる構成に限られることなく、マウントレール１８を支持する部分にだけ設けるなど、その他各種の構成に適応することができるものである。
【００２３】
また、上記の実施の形態においては、機器および装置から発生した熱を仕切り板１６および空気誘導板２４の間を通して空調機１９に導く形式に適応して説明したが、この仕切り板１６および空気誘導板２４の間を通して空調機１９に導く形式に限られることなく、図６に示すように、ファン５１とダクト５２とを用いて空調機１９に導く形式など、さまざまな形式に適応することができるものである。
【００２４】
【発明の効果】
以上説明したように、請求項１に係る発明によれば、上記マウントレール下方には利用可能な空間が設けられているので、マウントレールの配置間隔よりも横幅の広いもの、例えば通信機器やＩＴ装置を設置することができるという効果を奏する。
【００２５】
請求項２に係る発明によれば、上記マウントレールがサイドフレームに支持されているので、マウントフレームの下方の空間をより設けやすくなり、マウントレールの配置間隔よりも横幅の広いもの、例えば通信機器やＩＴ装置を設置しやすくなるという効果を奏する。
【００２６】
請求項３に係る発明によれば、大型装置対応ラックは複数枚の側板および開閉扉により囲われるとともに、大型装置対応ラック内部を冷却する冷却手段が備えられている。そのため、例えば通信機器やＩＴ装置など熱を発生するものが設置されても、熱を冷却手段により大型装置対応ラック外に排出することができ、通信機器やＩＴ装置などの設置に好適であるという効果を奏する。
【図面の簡単な説明】
【図１】本発明による大型装置対応ラックの一実施形態を示す斜視図である。
【図２】本発明による大型装置対応ラックの一実施形態を示す要部斜視図である。
【図３】本発明による大型装置対応ラックの一実施形態を示す正面断面図である。
【図４】本発明による大型装置対応ラックの一実施形態を示す側面断面図である。
【図５】本発明による大型装置対応ラックの一実施形態を示す上面断面図である。
【図６】本発明による大型装置対応ラックの別の実施形態を示す斜視図である。
【図７】従来のラックの一例を示す分解斜視図である。
【符号の説明】
１０  大型装置対応ラック
１１ａ  第一の柱（フレーム）
１２  底板（フレーム）
１３  天板（フレーム）
１４  側板
１５  開閉扉
１７ａ  第一サイドレール（サイドレール）
１７ｂ  第二サイドレール（サイドレール）
１８  マウントレール
１９  空調機（冷却手段）
【図１】
2004281789.tif 000003
【図２】
2004281789.tif 000004
【図３】
2004281789.tif 000005
【図４】
2004281789.tif 000006
【図５】
2004281789.tif 000007
【図６】
2004281789.tif 000008
【図７】
2004281789.tif 000009